(57)【要約】【課題】簡易的に偽色の発生を抑制すること。【解決手段】ある元画像データを監視して（ステップＳ１０１）、ある水平ラインｎにおける元画像データが所定の明度よりも高い場合には（ステップＳ１０２：Ｙｅｓ）、所定の明度よりも高い画像データを表示するＲ、Ｇ、Ｂ３画素のうちの一画素である画素ｍを点灯させる。そして、１水平期間後の水平ラインｎ＋１の画素ｍ−１及びｍ、すなわち点灯している画素ｍの垂直方向直下における画素も強制的に点灯させるように表示画像データを加工して（ステップＳ１０３）、画像表示ドライバへ加工後の表示画像データを出力する（ステップＳ１０４）。【選択図】      図１
2004258369.tif 000002
【特許請求の範囲】
【請求項１】
元画像データを所定のタイミングで取得して、元画像データを間引くことにより表示画像データを生成し、この表示画像データに基づいて電気光学パネルに画像を表示させるにあたり、
１水平ラインの元画像データを監視し、当該元画像データに含まれるＲ、Ｇ、Ｂ各画素の明度が所定の値よりも明るい場合には、これを識別するためのフラグを成立させる工程と、
前記フラグが成立しているタイミングに合わせて次の水平ラインの画素を強制的に点灯させて白表示するように表示画像データを加工する工程と、
加工後の前記表示画像データに基づき、前記電気光学パネルの画像を表示させる工程と、
を含むことを特徴とする電気光学パネルの画像表示方法。
【請求項２】
元画像データを所定のタイミングで取得して、元画像データを間引くことにより表示画像データを生成し、この表示画像データに基づき電気光学パネルに画像を表示させるにあたり、
１水平ラインの元画像データを監視し、当該元画像データに含まれるＲ、Ｇ、Ｂ各画素のデータが所定の明度よりも明るい場合には、これを識別するためのフラグを成立させる工程と、
監視している前記１水平ラインの１画素を、前記フラグが成立しているタイミングで強制的に点灯させるように表示画像データを加工する工程と、
前記フラグが成立しているタイミングに合わせて、次の水平ラインの２画素を強制的に点灯させ、当該２画素の垂直方向直上における前記１画素とともに白表示させるように表示画像データを加工する工程と、
加工後の前記表示画像データに基づき、前記電気光学パネルの画像を表示させる工程と、
を含むことを特徴とする電気光学パネルの画像表示方法。
【請求項３】
上記元画像データの種類に応じて、加工前の上記表示画像データと加工後の上記表示画像データとを切り替えて表示することを特徴とする請求項１又は２に記載の電気光学パネルの画像表示方法。
【請求項４】
上記元画像データが白抜きの文字である場合に、加工後の上記表示画像データを表示することを特徴とする請求項３に記載の電気光学パネルの画像表示方法。
【請求項５】
元画像データを所定のタイミングで取得して、元画像データを間引くことにより表示画像データを生成し、この表示画像データに基づいて電気光学パネルに画像を表示させるにあたり、
１水平ラインの元画像データを監視し、当該元画像データに含まれるＲ、Ｇ、Ｂ各画素の明度が所定の値よりも明るい場合には、これを識別するためのフラグを成立させる手順と、
前記フラグが成立しているタイミングに合わせて次の水平ラインの画素を強制的に点灯させて白表示するように表示画像データを加工する手順と、
加工後の前記表示画像データに基づき、前記電気光学パネルの画像を表示させる手順と、
を含む電気光学パネルの画像表示方法をコンピュータに実行させる画像表示プログラム。
【請求項６】
元画像データを所定のタイミングで取得して、元画像データを間引くことにより表示画像データを生成し、この表示画像データに基づき電気光学パネルに画像を表示させるにあたり、
１水平ラインの元画像データを監視し、当該元画像データに含まれるＲ、Ｇ、Ｂ各画素のデータが所定の明度よりも明るい場合には、これを識別するためのフラグを成立させる手順と、
監視している前記１水平ラインの１画素を、前記フラグが成立しているタイミングで強制的に点灯させるように表示画像データを加工する手順と、
前記フラグが成立しているタイミングに合わせて、次の水平ラインの２画素を強制的に点灯させ、当該２画素の垂直方向直上における前記１画素とともに白表示させるように表示画像データを加工する手順と、
加工後の前記表示画像データに基づき、前記電気光学パネルの画像を表示させる手順と、
を含む電気光学パネルの画像表示方法をコンピュータに実行させる画像表示プログラム。
【請求項７】
電気光学パネルの画像を表示させる際には、上記元画像データの種類に応じて、加工前の上記表示画像データと加工後の上記表示画像データとを切り替えて表示する手順を含むことを特徴とする請求項５又は６に記載の画像表示プログラム。
【請求項８】
上記元画像データが白抜きの文字である場合に、加工後の上記表示画像データを表示することを特徴とする請求項７に記載の画像表示プログラム。
【請求項９】
画像表示部と、
１水平ラインの元画像データを監視し、当該元画像データに含まれるＲ、Ｇ、Ｂ各画素の明度が所定の値よりも明るい場合には、これを識別するためのフラグを成立させるデータ判定部と、
前記元画像データを所定のタイミングで取得して、前記元画像データを間引くことにより、前記画像表示部に表示するための表示画像データを生成する信号処理部と、
前記フラグが成立しているタイミングに合わせて次の水平ラインの画素を強制的に点灯させて白表示するように前記表示画像データを加工するデータ加工部と、
を有することを特徴とする電気光学パネル。
【請求項１０】
画像表示部と、
１水平ラインの元画像データを監視し、当該元画像データに含まれるＲ、Ｇ、Ｂ各画素のデータが所定の明度よりも明るい場合には、これを識別するためのフラグを成立させるデータ判定部と、
前記元画像データを所定のタイミングで取得して、前記元画像データを間引くことにより、前記画像表示部に表示するための表示画像データを生成する信号処理部と、
監視している前記１水平ラインの１画素を、前記フラグが成立しているタイミングで強制的に点灯させるように前記表示画像データを加工し、さらに前記フラグが成立しているタイミングに合わせて、次の水平ラインの２画素を強制的に点灯させ、当該２画素の垂直方向直上における前記１画素とともに白表示させるように表示画像データを加工するデータ加工部と、
を有することを特徴とする電気光学パネル。
【請求項１１】
請求項９又は１０に記載の電気光学パネルを備えたことを特徴とする電気光学装置。
【請求項１２】
請求項９又は１０に記載の電気光学パネルを備えたことを特徴とする電子機器。
【発明の詳細な説明】
【０００１】
【発明の属する技術分野】
この発明は、電気光学パネルの画像表示方法に関し、さらに詳しくは、限られたハードウェア資源を有効に利用して表示時における偽色を低減できる電気光学パネルの画像表示方法、画像表示プログラム及び電気光学パネル、並びにこの電気光学パネルを備えた電気光学装置及び電子機器に関する。
【０００２】
【従来の技術】
液晶表示パネルやＤＭＤ（Ｄｉｇｉｔａｌ  Ｍｉｃｒｏｍｉｒｒｏｒ  Ｄｅｖｉｃｅ）表示パネル、あるいはＥＬ（Ｅｌｅｃｔｒｏ  Ｌｕｍｉｎｅｓｃｅｎｃｅ）表示パネルのような電気光学パネルは、画像を表示する素子として使用されている。このような電気光学パネルは、その構造上小型化に有利であるので、近年の携帯機器の発達にともない需要を伸ばしている。
【０００３】
【発明が解決しようとする課題】
ところで、一般に、携帯機器に搭載される電気光学パネルは表示画素領域が小さく、表示させようとする元画像データの容量が大きいものを表示させるときには、元画像データを間引いて、電気光学パネルの表示画素領域に合わせる。このとき、データ間引きによって本来表示すべき画像データが減少し、元画像とは異なる色彩で画面に表示される、いわゆる偽色発生の問題がある。例えば、元画像データがＲ、Ｇ、Ｂの三画素を点灯させるものであるにもかかわらず、間引きによってＲ、Ｇの二画素しか点灯させない場合には、画面に表示される画像が元画像データとは異なるものになる。
【０００４】
そこで、この発明は、上記に鑑みてなされたものであって、表示画素領域の小さい電気光学パネルにこれよりも表示領域の大きい画像を表示させる場合に、簡易的に偽色の発生を抑制できる電気光学パネルの画像表示方法、画像表示プログラム及び電気光学パネル、並びにこの電気光学パネルを備えた電気光学装置及び電子機器を提供することを目的とする。
【０００５】
【課題を解決するための手段】
上述の目的を達成するために、この発明に係る電気光学パネルの画像表示方法は、元画像データを所定のタイミングで取得して、元画像データを間引くことにより表示画像データを生成し、この表示画像データに基づいて電気光学パネルに画像を表示させるにあたり、１水平ラインの元画像データを監視し、当該元画像データに含まれるＲ、Ｇ、Ｂ各画素の明度が所定の値よりも明るい場合には、これを識別するためのフラグを成立させる工程と、前記フラグが成立しているタイミングに合わせて次の水平ラインの画素を強制的に点灯させて白表示するように表示画像データを加工する工程と、加工後の前記表示画像データに基づき、前記電気光学パネルの画像を表示させる工程と、を含むことを特徴とする。
【０００６】
また、次の発明に係る画像表示プログラムは、元画像データを所定のタイミングで取得して、元画像データを間引くことにより表示画像データを生成し、この表示画像データに基づいて電気光学パネルに画像を表示させるにあたり、１水平ラインの元画像データを監視し、当該元画像データに含まれるＲ、Ｇ、Ｂ各画素の明度が所定の値よりも明るい場合には、これを識別するためのフラグを成立させる手順と、前記フラグが成立しているタイミングに合わせて次の水平ラインの画素を強制的に点灯させて白表示するように表示画像データを加工する手順と、加工後の前記表示画像データに基づき、前記電気光学パネルの画像を表示させる手順と、を含む電気光学パネルの画像表示方法をコンピュータに実行させることを特徴とする。
【０００７】
この画像表示方法は、元画像データを監視し、所定の明度よりも高いデータがあった場合に、当該データを表示する画素の垂直方向直下における画素を強制的に点灯させて白表示するように、表示画像データを加工する。これによって、電気光学パネルの画像表示領域を超えた元画像データを間引きして表示する場合でも、白抜き画像の色付きを緩和して偽色の発生を抑制できる。
【０００８】
また、本画像表示方法は、画像間引き処理等の画像処理をする一連の流れの中で同時に実行できるので、余分なメモリやバッファ等は不要である。これにより、ハードウェア資源を有効に活用でき、また、メモリ増設等によるコスト上昇もない。ここで、上記所定の明度は黒と白との中間（グレー）を基準として、これよりも明るいことが好ましい（以下同様）。このようにすれば、確実に白抜き文字等の白画像を検出して、偽色の発生を確実に抑制することができる。また、本発明に係る画像表示プログラムによれば、本発明に係る電気光学パネルの画像表示方法をコンピュータに実行させることができる。なお、本発明でいうコンピュータには、いわゆるパーソナルコンピュータやワークステーションあるいはＰＤＡ（Ｐｅｒｓｏｎａｌ  Ｄｉｇｉｔａｌ  Ａｓｓｉｓｔａｎｔ）の他、ＣＰＵ（Ｃｅｎｔｒａｌ  Ｐｒｏｃｅｓｓｉｎｇ  Ｕｎｉｔ）とメモリその他の電子素子によって構成されるハードウェアも含む（以下同様）。
【０００９】
また、次の発明に係る電気光学パネルの表示方法は、元画像データを所定のタイミングで取得して、元画像データを間引くことにより表示画像データを生成し、この表示画像データに基づき電気光学パネルに画像を表示させるにあたり、１水平ラインの元画像データを監視し、当該元画像データに含まれるＲ、Ｇ、Ｂ各画素のデータが所定の明度よりも明るい場合には、これを識別するためのフラグを成立させる工程と、監視している前記１水平ラインの１画素を、前記フラグが成立しているタイミングで強制的に点灯させるように表示画像データを加工する工程と、前記フラグが成立しているタイミングに合わせて、次の水平ラインの２画素を強制的に点灯させ、当該２画素の垂直方向直上における前記１画素とともに白表示させるように表示画像データを加工する工程と、加工後の前記表示画像データに基づき、前記電気光学パネルの画像を表示させる工程と、を含むことを特徴とする。
【００１０】
また、次の発明に係る画像表示プログラムは、元画像データを所定のタイミングで取得して、元画像データを間引くことにより表示画像データを生成し、この表示画像データに基づき電気光学パネルに画像を表示させるにあたり、１水平ラインの元画像データを監視し、当該元画像データに含まれるＲ、Ｇ、Ｂ各画素のデータが所定の明度よりも明るい場合には、これを識別するためのフラグを成立させる手順と、監視している前記１水平ラインの１画素を、前記フラグが成立しているタイミングで強制的に点灯させるように表示画像データを加工する手順と、前記フラグが成立しているタイミングに合わせて、次の水平ラインの２画素を強制的に点灯させ、当該２画素の垂直方向直上における前記１画素とともに白表示させるように表示画像データを加工する手順と、加工後の前記表示画像データに基づき、前記電気光学パネルの画像を表示させる手順と、を含む電気光学パネルの画像表示方法をコンピュータに実行させることを特徴とする。
【００１１】
この画像表示方法は、１水平ラインｎの元画像データを監視して、所定の明度よりも高いデータがあった場合に、当該１水平ラインｎの所定画素ｍを点灯させる。さらに、１水平期間後の水平ラインｎ＋１の画素ｍ及びｍ−１、すなわち所定画素ｍの垂直方向直下における画素を強制的に点灯させる。そして、水平ラインｎの画素ｍ、水平ラインｎ＋１の画素ｍ−１及び画素ｍによって白表示するように、表示画像データを加工する。これによって、電気光学パネルの画像表示領域を超えた元画像データを間引きして表示する場合でも、白抜き画像の色付きを緩和して偽色の発生を抑制できる。また、本画像表示方法は、画像間引き処理等の画像処理をする一連の流れの中で同時に実行できるので、余分なメモリやバッファ等は不要である。これにより、ハードウェア資源を有効に活用でき、また、メモリ増設等によるコスト上昇もない。なお、本発明に係る画像表示方法の適用対象は、特に画素の配列がδ配列の電気光学パネルが好ましい。また、本発明に係る画像表示プログラムによれば、本発明に係る電気光学パネルの画像表示方法をコンピュータに実行させることができる。
【００１２】
また、次の発明に係る電気光学パネルの表示方法は、上記元画像データの種類に応じて、加工前の上記表示画像データと加工後の上記表示画像データとを切り替えて表示することを特徴とする。
【００１３】
また、次の発明に係る画像表示プログラムは、電気光学パネルの画像を表示させる際には、上記元画像データの種類に応じて、加工前の上記表示画像データと加工後の上記表示画像データとを切り替えて表示する手順を含むことを特徴とする。
【００１４】
このようにすれば、例えば自然画のように、偽色対策を施すと不自然な表示となってしまう画像に対しては、偽色対策を施さないで電気光学パネルに表示させることができる。また、本発明に係る画像表示プログラムによれば、本発明に係る電気光学パネルの画像表示方法をコンピュータに実行させることができる。
【００１５】
この場合、次の発明に係る電気光学パネルの表示方法、又は画像表示プログラムのように、上記元画像データが白抜きの文字である場合に、加工後の上記表示画像データを表示することが好ましい。白抜きの文字は、色付きが発生すると極めて目立ちやすいので、白抜きの文字が存在する画像に偽色対策を施した加工後の表示画像データを使用すると、偽色を抑制して自然な表示ができる。また、本発明に係る画像表示プログラムによれば、本発明に係る電気光学パネルの画像表示方法をコンピュータに実行させることができる。
【００１６】
また、次の発明に係る電気光学パネルは、画像表示部と、１水平ラインの元画像データを監視し、当該元画像データに含まれるＲ、Ｇ、Ｂ各画素の明度が所定の値よりも明るい場合には、これを識別するためのフラグを成立させるデータ判定部と、前記元画像データを所定のタイミングで取得して、前記元画像データを間引くことにより、前記画像表示部に表示するための表示画像データを生成する信号処理部と、前記フラグが成立しているタイミングに合わせて次の水平ラインの画素を強制的に点灯させて白表示するように前記表示画像データを加工するデータ加工部と、を有することを特徴とする。
【００１７】
この電気光学パネルは、元画像データを監視して所定の明度よりも高いデータがあった場合には、当該データを表示する画素の垂直方向直下における画素を強制的に点灯させて、白表示する。これによって、電気光学パネルの画像表示領域を超えた元画像データを間引きして表示する場合でも、白抜き画像における偽色の発生を抑制できる。また、本電気光学パネルは、画像間引き処理等の画像処理をする一連の流れの中で同時に実行でき、既設の画像処理用の集積回路にプログラムを追加するだけで実現できる。このため、余分なメモリやバッファ等は不要なので、ハードウェア資源を有効に活用でき、また、メモリ増設等によるコスト上昇もない。
【００１８】
また、次の発明に係る電気光学パネルは、画像表示部と、１水平ラインの元画像データを監視し、当該元画像データに含まれるＲ、Ｇ、Ｂ各画素のデータが所定の明度よりも明るい場合には、これを識別するためのフラグを成立させるデータ判定部と、前記元画像データを所定のタイミングで取得して、前記元画像データを間引くことにより、前記画像表示部に表示するための表示画像データを生成する信号処理部と、監視している前記１水平ラインの１画素を、前記フラグが成立しているタイミングで強制的に点灯させるように前記表示画像データを加工し、さらに前記フラグが成立しているタイミングに合わせて、次の水平ラインの２画素を強制的に点灯させ、当該２画素の垂直方向直上における前記１画素とともに白表示させるように表示画像データを加工するデータ加工部と、を有することを特徴とする。
【００１９】
この画像表示方法は、１水平ラインｎの元画像データを監視して、所定の明度よりも高いデータがあった場合に、当該１水平ラインｎの所定画素ｍを点灯させる。さらに、１水平期間後の水平ラインｎ＋１の画素ｍ及びｍ−１、すなわち所定画素ｍの垂直方向直下における画素を強制的に点灯させて、水平ラインｎの画素ｍ、水平ラインｎ＋１の画素ｍ−１及び画素ｍによって白表示する。これによって、電気光学パネルの画像表示領域を超えた元画像データを間引きして表示する場合でも、白抜き画像における偽色の発生を抑制できる。また、本画像表示方法は、画像間引き処理等の画像処理をする一連の流れの中で同時に実行できるので、既設の画像処理用の集積回路にプログラムを追加するだけで実現できる。このため、余分なメモリやバッファ等は不要なので、ハードウェア資源を有効に活用でき、また、メモリ増設等によるコスト上昇もない。なお、本発明に係る画像表示方法の適用対象は、特に画素の配列がδ配列の電気光学パネルが好ましい。
【００２０】
また、次の発明に係る電気光学装置は、上記電気光学パネルを備えたことを特徴とする。このため、電気光学装置の画像表示領域を越える元画像データを間引いて表示する場合における偽色の発生を抑制して、自然な画像を表示できる。また、新たなメモリやバッファを追加する必要もないので、電気光学装置のコスト上昇もない。
【００２１】
また、次の発明に係る電子機器は、上記電気光学パネルを備えたことを特徴とする。このため、電気光学装置の画像表示領域を越える元画像データを間引いて表示する場合における偽色の発生を抑制して、自然な画像を表示できる。また、新たなメモリやバッファを追加する必要もないので、電子機器のコスト上昇もない。なお、上記データ判定部、上記データ処理部及び上記信号処理部は、電子機器のハードウェアで構成してもよい。
【００２２】
【発明の実施の形態】
以下、この発明につき図面を参照しつつ詳細に説明する。なお、この実施の形態によりこの発明が限定されるものではない。また、下記実施の形態における構成要素には、当業者が容易に想定できるもの或いは実質的に同一のものが含まれる。
【００２３】
（実施の形態１）
図１は、実施の形態１に係る画像表示方法の概要を示すフローチャートである。また、図２は、実施の形態１に係る画像表示方法の概要を示す説明図である。この電気光学パネルは、１水平ラインのデータを監視し、所定値以上の明度の画像を表示する場合には、当該水平ラインにおいて前記画像を表示するピクセルに含まれる画素と、この画素の垂直方向直下の画素とを点灯させることにより白表示させる点に特徴がある。次の説明においては、所定値以上の明度がある画像として、白抜き文字のような白抜き画像を例とする。なお、電気光学パネルにおいて、画素の配列方向（図中Ｘ方向）を水平方向といい、水平方向に直角な方向を垂直方向（図中Ｙ方向）という。また、以下の説明においては、水平方向におけるＲ（Ｒｅｄ）画素、Ｇ（Ｇｒｅｅｎ）画素、Ｂ（Ｂｌｕｅ）画素のまとまりをピクセルというものとする。
【００２４】
まず、本発明の実施の形態１に係る電気光学パネルの画像表示方法を簡単に説明する。電気光学パネル１の画像表示領域がｉ×ｊ（ｉ、ｊは１以上の整数）であったとき、この画像表示領域を超えた元画像データ（ｋ×ｌ；ｉ、ｊは１以上の整数；ｌ＞ｊ）が送られてきた場合を考える。この場合、この電気光学パネルの画像表示領域ではこの元画像データを表示することができないので、水平方向のデータ数ｊを間引いて、この電気光学パネルの画像表示領域が表示できる画素数ｉ×ｊの表示画像データとする。説明の便宜上、以下、間引き後の画像データを表示画像データというものとする。
【００２５】
元画像データに、白抜き文字のようにバックグラウンドとの明度差が高い画像が含まれていた場合を考える。この場合に、間引き後の表示画像データをそのまま電気光学パネルで表示すると、元画像データを間引くタイミングによっては白抜き部分が色付いて表示されてしまうことがある。このため、ある元画像データを監視して（ステップＳ１０１）、ある水平ラインｎにおける元画像データが所定の明度よりも高い場合には（ステップＳ１０２：Ｙｅｓ）、所定の明度よりも高い画像データを表示するＲ、Ｇ、Ｂ３画素のうちの一画素である画素ｍを点灯させる。そして、１水平期間後の水平ラインｎ＋１の画素ｍ−１及びｍ、すなわち点灯している画素の垂直方向直下における画素も強制的に点灯させるように表示画像データを加工して（ステップＳ１０３）、画像表示ドライバへ加工後の表示画像データを出力する（ステップＳ１０４）。なお、ｍ、ｎは整数である。
【００２６】
このようにすれば、本来白抜き表示されるべきであるピクセルの表示画像データが間引かれてしまい、色付いて表示されるような場合であっても、図２に示すように、垂直方向直下における画素ｍ−１及び画素ｍを点灯させて白表示するので、画像の色付きが防止される。これによって、電気光学パネルの画像表示領域を超えた元画像データを表示する場合でも、白抜き画像の色付きを防止して表示画像品質の低下を極小に抑えることができる。
【００２７】
次に、実施の形態１に係る電気光学パネルの画像表示方法及び電気光学パネルをより具体的に説明する。図３は、実施の形態１に係る画像表示部を示すブロック図である。また、図４は、実施の形態１に係る画像表示方法に係るタイミングチャートである。また、図５は、実施の形態１に係る電気光学パネルの画素配列を示す説明図である。この電気光学パネル１は、画素が１ライン毎に半ドットずらして配列される、いわゆるδ配列を採用したものである。また、この電気光学パネルは、電気光学パネルの画像表示方法を実現する画像データ処理部１０を有する。本発明に係るδ配列においても、画素の配列方向（図中Ｘ方向）を水平方向といい、水平方向に直角な方向を垂直方向（図中Ｙ方向）という。
【００２８】
実施の形態１においては、元画像データに含まれる各ピクセルのＲ、Ｇ、Ｂ画素は、それぞれ６ｂｉｔの大きさで階調が表現されており、｛１１１１１１｝が白を、｛００００００｝が黒を表す。なお、階調表現は６ｂｉｔに限定されるものではなく、この電気光学パネル１が搭載される電気光学装置や電子機器の仕様によって、階調を表現するｂｉｔ数は適宜変更できる。
【００２９】
画像データ処理部１０に備えられるデータ判定部１１には、元画像データ信号ＲＤ、ＧＤ、ＢＤとＥＮＡＢＬＥ信号（以下ＥＮ信号）が入力されている。図４に示すように、元画像データ信号ＲＤ、ＧＤ、ＢＤはパラレルで入力されており、ＤＡＴＡＥＮＡ信号がＯＮとなった時に、元画像データ信号ＲＤ、ＧＤ、ＢＤが一つずつ取得される。図４（ａ）においては、ＤＡＴＡＥＮＡ信号が３回ＯＮとなったときに取得された元画像データ信号ＲＤ、ＧＤ、ＢＤが、一つのピクセルに表示される。
【００３０】
元画像データのあるＲ、Ｇ、Ｂ各画素データが所定の明度よりも明るい場合には、当該ピクセルを白抜き画像を構成するピクセルであると判定し、フラグ（ＷＤＥＴＥＣＴ）を成立させる。本実施の形態においては、６ｂｉｔで表されるＲ、Ｇ、Ｂ各色の元画像データの最上位ビットがすべて１であるときに、フラグを成立させる。すなわち、あるピクセルに含まれるＲ、Ｇ、Ｂ各画素の明度が（１０００００）よりも明るい場合には、フラグを成立させる。なお、フラグの成立条件は上記条件に限定されるものではなく、例えば最上位ビットと次位のビットとがすべて１であるときにフラグを成立させてもよい。このようにすれば、フラグの成立条件を変更することができるので、色付きを抑制したい画像の明度を変更できる。
【００３１】
フラグは次の手順で成立させる。データ判定部１１に入力されるＥＮ信号は、電気光学パネル１の水平ラインに含まれるデータ分に相当するパルスを持つ信号である（図４（ａ）参照）。なお、データ判定部１１は、すべての元画像データ信号ＲＤ、ＧＤ、ＢＤに対して明度を判定する。
【００３２】
次に、図４（ａ）に示すように、あるタイミングにおける元画像データのＲ、Ｇ、Ｂ各データすべての最上位ビットが１（図３（ａ）では十進数の３３で表してある）である場合に、データ判定部１１はフラグ（ＷＤＥＴＥＣＴ）を成立させる。このフラグ（ＷＤＥＴＥＣＴ）は、シフトレジスタ１２へ送られる。シフトレジスタ１２は、水平ラインｎで成立させたフラグ（ＷＤＥＴＥＣＴ）を次の水平ラインｎ＋１に反映させるため、１水平ラインに含まれるデータ分のシフトレジスタを備えている。
【００３３】
信号処理部１４は、元画像データを電気光学パネル１の表示領域に適合した表示画像データへ変換するため、元画像データの間引きを行う。また、図５（ａ）に示すように、δ配列においては画素の配列順序がＲＧＢのラインとＧＢＲのラインとが交互に繰り返される。このため、ストローブ信号ＳＲ、ＳＧ、ＳＢによって、水平方向の走査順序をＲＧＢとＧＢＲとに切り替えるためのカラーローテーションを行う。
【００３４】
ＥＮ信号は、電気光学パネル１の水平データ分に相当するパルスを持つ信号であり（図４（ａ）参照）、ＥＮ信号がＯＮとなるタイミングで元画像データを取得することにより、元画像データを間引き、表示画像データを生成する。そして、この表示画像データをデータ加工部１３とデータセレクタ１５とに出力する。なお、便宜上、この表示画像データを通常の表示画像データという。
【００３５】
データ加工部１３は、水平ラインｎの情報をシフトレジスタ１２の結果から、水平ラインｎ＋１の情報をフラグ（ＷＤＥＴＥＣＴ）からそれぞれ取得する。また、信号処理部１４においてカラーローテーション及び元画像データを間引きした後における通常の表示画像データを取得する。
【００３６】
これらの情報から、水平ラインｎ＋１における通常の表示画像データを加工し、水平ラインｎにおける明度が所定値以上である画素、及び当該画素の直下における画素、すなわち水平ラインｎ＋１における画素を点灯させる（図４（ｄ））。具体的には、図４（ｂ）に示すように、フラグ（ＷＤＥＴＥＣＴ）に基づいて、水平ラインｎのｍ画素（Ｒ）を点灯させる（図４（ｄ））。また、図４（ｃ）に示すように、水平ラインのデータ数−１だけフラグ（ＷＤＥＴＥＣＴ）をシフトレジストさせたフラグＷＤＥＴＥＣＴｅｎｄ−１と、水平ラインのデータ数だけフラグ（ＷＤＥＴＥＣＴ）をシフトレジストさせたフラグＷＤＥＴＥＣＴｅｎｄとによって、水平ラインｎ＋１のｍ−１画素（Ｇ）とｍ画素（Ｂ）とを点灯させる（図４（ｄ）参照）。すなわち、表示画像データ中における前記Ｒ、Ｇ、Ｂ画素データを（１１１１１１）（十進では６３）に変換する加工を施し、加工後の表示画像データをデータセレクタ１５へ出力する。
【００３７】
データセレクタ１５には、通常の表示画像データと加工後の表示画像データとが入力される。水平ラインｎに明度が所定以上である元画像データが存在しない場合には、データセレクタ１５は通常の表示画像データを電気光学パネル１のドライバ５へ出力する。一方、水平ラインｎにバックグラウンドとの明度差が所定以上である画素が存在する場合には、データセレクタ１５は加工後の表示画像データを電気光学パネル１のドライバ５へ出力する。この選択は、ＧＳＷ信号によって行う。なお、フラグ（ＷＤＥＴＥＣＴ）の有無によって、ドライバ５へ出力するデータを切り替えてもよい。ここで、ＧＳＷ信号は、表示の切替信号であるので、自然画のように、強制的にＲ、Ｇ、Ｂ画素を点灯させる偽色対策処理を施すと不自然な表示となる画像の場合は、ＧＳＷ信号によって通常の表示画像データを表示させるようにしてもよい。そして、白抜き文字のように、色付きを防止したい画像に対しては、加工後の表示画像データを表示させるようにしてもよい。
【００３８】
以上の手順によって、元画像データに所定の明度よりも高いデータがあった場合に、あるラインｎの画素ｍを点灯させる。そして、１水平期間後の水平ラインｎ＋１の画素ｍ及びｍ−１、すなわち白表示すべきピクセルの垂直方向直下における画素を強制的に点灯させる。これにより、水平ラインｎの画素ｍと水平ラインｎ＋１の画素ｍ及び画素ｍ−１とで白表示することができる。その結果、電気光学パネル１の画像表示領域を超えた元画像データを間引きして表示する場合でも、白抜き画像の色付きを緩和して偽色の発生を防止し、自然な画像を表示できる。なお、この画像表示方法は、原則として図５（ａ）に示す、いわゆるδ配列の電気光学パネルに好適であるが、同図（ｂ）に示すような配列の電気光学パネル１’に対しても同様に適用できる。
【００３９】
また、黒画像、特に黒文字を表示する場合にも、上記手順によって色付きを緩和することができる。すなわち、元画像データに所定の明度よりも低いデータがあった場合には黒画像であると判断する。この判断は、例えば、６ｂｉｔの大きさで階調が表現されるＲ、Ｇ、Ｂすべての画素の下位３ｂｉｔが１よりも小さい場合に、黒画像であると判断する。
【００４０】
黒画像であると判断した場合、当該画像を表示するピクセルに含まれる水平ラインｎの画素ｍを消灯させる。そして、１水平期間後の水平ラインｎ＋１の画素ｍ及びｍ−１、すなわち黒表示すべきピクセルの垂直方向直下における画素も強制的に消灯させる。これにより、水平ラインｎの画素ｍと水平ラインｎ＋１の画素ｍ及び画素ｍ−１とで黒表示することができる。その結果、電気光学パネル１の画像表示領域を超えた元画像データを間引きして表示する場合でも、黒画像の色付きを緩和して偽色の発生を防止し、自然な画像を表示できる。
【００４１】
なお、画像データ処理部１０のデータ判定部１１、データ加工部１３、信号処理部１４は専用のハードウェアにより実現されるものであってもよい。また、これらのデータ判定部１１等は、メモリおよびＣＰＵ（中央演算装置）により構成され、前記データ判定部１１等の機能を実現するためのプログラム（図示省略）をメモリにロードして実行することによりその機能を実現させるものであってもよい。
【００４２】
（実施の形態２）
図６は、実施の形態２に係る電気光学パネルを示す説明図である。この電気光学パネル２は、実施の形態１に係る電気光学パネル１と略同様の構成であるが、画素の配列にδ配列を使用せず、通常の直線配列を使用する点が異なる。他の構成は実施の形態１に係る電気光学パネル１と同様なのでその説明を省略するとともに、同一の構成要素には同一の符号を付す。なお、電気光学パネル２において、画素の配列方向（図中Ｘ方向）を水平方向といい、水平方向に直角な方向を垂直方向（図中Ｙ方向）という。
【００４３】
実施の形態２に係る電気光学パネル２及び電気光学パネルの画像表示方法を説明する。図７は、実施の形態２に係る画像表示方法に係るタイミングチャートである。なお、実施の形態２に係る電気光学パネルの画像表示方法を実行するためのブロック図は、実施の形態１に係るものと同様なので、必要があれば適宜図５を参照されたい。
【００４４】
画像データ処理部１０’に備えられるデータ判定部１１には、元画像データ信号ＲＤ、ＧＤ、ＢＤとＥＮＡＢＬＥ信号（以下ＥＮ信号）が入力されている。元画像データのあるピクセルに含まれるＲ、Ｇ、Ｂ各画素が所定の明度よりも明るい場合には、当該ピクセルを白抜き画像であると判定し、フラグ（ＷＤＥＴＥＣＴ）を成立させる。
【００４５】
フラグの成立手順は実施の形態１と同様であり、データ判定部１１がすべての元画像データ信号ＲＤ、ＧＤ、ＢＤに対して、明度を判定する。そして、あるタイミングにおける元画像データのＲ、Ｇ、Ｂ各画素すべての最上位ビットが１（図５（ａ）では十進の３３で表す）である場合に、データ判定部１１はフラグを成立させる。このフラグ（ＷＤＥＴＥＣＴ）は、シフトレジスタ１２へ送られる。
【００４６】
データ加工部１３は、水平ラインｎの情報をシフトレジスタ１２の結果から、水平ラインｎ＋１の情報をフラグ（ＷＤＥＴＥＣＴ）からそれぞれ取得する。また、信号処理部１４でカラーローテーション及び元画像データを間引きした後における通常の表示画像データを取得する。
【００４７】
これらの情報から、水平ラインｎ＋１における通常の表示画像データを加工し、水平ラインｎにおけるバックグラウンドとの明度差が所定以上である画素の直下における画素、すなわち水平ラインｎ＋１における画素を点灯させる。具体的には、水平ラインのデータ数＋２だけフラグ（ＷＤＥＴＥＣＴ）をシフトレジストさせたフラグＷＤＥＴＥＣＴｅｎｄ＋２と、水平ラインのデータ数＋１だけフラグ（ＷＤＥＴＥＣＴ）をシフトレジストさせたフラグＷＤＥＴＥＣＴｅｎｄ＋１と、水平ラインのデータ数だけフラグ（ＷＤＥＴＥＣＴ）をシフトレジストさせたフラグＷＤＥＴＥＣＴｅｎｄとによって、水平ラインｎ＋１のｍ＋２画素（Ｒ）、ｍ＋１画素（Ｇ）及びｍ画素（Ｂ）を点灯させる。すなわち、水平ラインｎにおいて白に表示されるべきピクセルの直下におけるＲ、Ｇ、Ｂ画素のすべてを（１１１１１１）（十進では６３）に変換して、加工後の表示画像データをデータセレクタ１５へ出力する。このようにすれば、水平ラインｎにおいて白に表示されるべきピクセルに含まれるＲ、Ｇ、Ｂ画素の点灯状態に関わらず、当該ピクセル直下のＲ、Ｇ、Ｂ画素すべてを点灯させて白表示できる。その結果、色付きを緩和して偽色の発生を抑制できる。
【００４８】
データセレクタ１５では、ＧＳＷ信号によって通常の表示画像データ又は加工後の表示画像データのいずれか一方を、電気光学パネル２のドライバ５へ出力する。以上の手順によって、水平ラインｎのあるピクセルが所定の明度よりも高い場合には、１水平期間後の水平ラインｎ＋１における画素ｍ、すなわち白表示すべきピクセルの垂直方向直下における画素を強制的に点灯させて、白表示することができる。これによって、電気光学パネル２の画像表示領域を超えた元画像データを表示する場合でも、白抜き画像の色付きを緩和して表示画像品質の低下を極小に抑えることができる。
【００４９】
なお、実施の形態１及び２に係る本発明の電気光学パネルの画像表示方法は、予め用意されたプログラムを上記画像データ処理部１０あるいは１０’へロードして実行することによって実現することができる。このプログラムは、インターネットなどのネットワークを介して配布することもできる。また、このプログラムは、コンピュータで読み取り可能な記録媒体に記録され、所定のインターフェースを介して上記画像データ処理部１０あるいは１０’へロードすることによって実行することもできる。ここで、コンピュータで読み取り可能な記録媒体とは、フレキシブルディスク（ＦＤ）、ＣＤ−ＲＯＭ、ＭＯ、ＤＶＤ等の可搬媒体、あるいはコンピュータシステムに内蔵されるハードディスク等の記録装置をいう。
【００５０】
さらに、「コンピュータ読み取り可能な記録媒体」とは、インターネットなどのネットワークや電話回線などの通信回線を解してプログラムを送信する場合の通信線のように、短時間の間、動的にプログラムを保持するもの、その場合のサーバやクライアントとなるコンピュータシステム内部の揮発性メモリのように、一定時間プログラムを保持しているものを含むものとする。また、上記プログラムは、前述した機能の一部を実現するためのものであってもよい。さらに、上記プログラムは、前述した機能を本発明に係る電気光学パネルを備えた電気光学装置や電子機器へすでに記録されているプログラムと組み合わせて実現できるものであってもよい。
【００５１】
（本発明の適用対象）
本発明に係る電気光学パネルが適用できる電子機器としては、携帯電話機の他に、例えば、ＰＤＡ（Ｐｅｒｓｏｎａｌ  Ｄｉｇｉｔａｌ  Ａｓｓｉｓｔａｎｔｓ）と呼ばれる携帯型情報機器や携帯型パーソナルコンピュータ、パーソナルコンピュータ、デジタルスチルカメラ、車載用モニタ、デジタルビデオカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話機、ＰＯＳ端末機等、電気光学装置である電気光学パネルを用いる機器が挙げられる。したがって、これらの電子機器における電気的接続構造であっても、本発明が適用可能であることはいうまでもない。
【００５２】
また、この電気光学パネルは、透過型又は反射型の電気光学パネルであり、図示しない照明装置をバックライトとして用いる。なお、アクティブマトリックス型のカラー電気光学パネルであっても同様である。例えば、以上説明した各実施形態においては、いずれもパッシブマトリクス型の電気光学パネルを例示してきたが、本発明の電気光学装置としては、アクティブマトリクス型の電気光学パネル（例えば、ＴＦＴ（薄膜トランジスタ）やＴＦＤ（薄膜ダイオード）をスイッチング素子として備えた電気光学パネル）にも同様に適用することができる。また、液晶パネルだけでなく、エレクトロルミネッセンス装置、無機エレクトロルミネッセンス装置、プラズマディスプレイ装置、ＤＭＤ（デジタルマイクロミラーデバイス）装置、電気泳動表示装置、電界放出表示装置、ＬＥＤ（ライトエミッティングダイオード）表示装置などのように、複数の画素毎に表示状態を制御可能な各種の電気光学装置においても本発明を同様に適用することができる。
【図面の簡単な説明】
【図１】実施の形態１に係る画像表示方法の概要を示すフローチャート。
【図２】実施の形態１に係る画像表示方法の概要を示す説明図。
【図３】実施の形態１に係る画像表示部を示すブロック図。
【図４】実施の形態１に係る画像表示方法に係るタイミングチャート。
【図５】実施の形態１に係る電気光学パネルの画素配列を示す説明図。
【図６】実施の形態２に係る電気光学パネルを示す説明図。
【図７】実施の形態２に係る画像表示方法に係るタイミングチャート。
【符号の説明】
１、２  電気光学パネル、  ５  ドライバ、  １０、１０’    画像データ処理部、  １１  データ判定部、  １２  シフトレジスタ、  １３  データ加工部、１４  信号処理部、  １５  データセレクタ
【図１】
2004258369.tif 000003
【図２】
2004258369.tif 000004
【図３】
2004258369.tif 000005
【図４】
2004258369.tif 000006
【図５】
2004258369.tif 000007
【図６】
2004258369.tif 000008
【図７】
2004258369.tif 000009